(57)【要約】      （修正有）【課題】使用前の保管及び箱体の中への配置が容易な仕切体用シートを提供する。【解決手段】仕切体用シートは、第１収容室の底部に配置される底板１０と、底板に連接され、第１収容室の列方向一方側に配置される第１仕切板１１と、底板に連接され、第１収容室と第２収容室の間を区分する第２仕切板１２と、第１仕切板に連設され、谷折りで第１収容室と第３収容室の間を区分する第３仕切板１３と、第１仕切板に連設され、谷折りで第１収容室と第４収容室の間を区分する第４仕切板１４と、第２仕切板に連設され、山折りで第２収容室と第５収容室の間を区分する第５仕切板１５と、第２仕切板に連設され、山折りで第２収容室と第６収容室の間を区分する第６仕切板１６と、第３仕切板に連設され、山折りで第３収容室と第５収容室の間を区分する第７仕切板１７と、第４仕切板に連設され、山折りで第４収容室と第６収容室の間を区分する第８仕切板１８とを備える。【選択図】図２
0003219044.tif 000002
【実用新案登録請求の範囲】
【請求項１】
一枚のシート材からなり、箱体の内部空間を平面視で２行３列の６つの収容室に区分する仕切体に組み立てられる仕切体用シートであって、
行方向中央の列方向一方側に位置する第１収容室の底部に配置される底板と、
上記底板の列方向一方側の側縁に連接され、組み立て時に上方に折り曲げられて上記第１収容室の列方向一方側に配置される第１仕切板と、
上記底板の列方向他方側の側縁に連接され、組み立て時に上方に折り曲げられて上記第１収容室及びこの第１収容室の列方向他方側に隣接する第２収容室の間を区分する第２仕切板と、
上記第１仕切板の行方向一方側の側縁に連設され、組み立て状態で上記第１収容室及びこの第１収容室の行方向一方側に隣接する第３収容室の間を区分する第３仕切板と、
上記第１仕切板の行方向他方側の側縁に連設され、組み立て状態で上記第１収容室及びこの第１収容室の行方向他方側に隣接する第４収容室の間を区分する第４仕切板と、
上記第２仕切板の行方向一方側の側縁に連設され、組み立て状態で上記第２収容室及びこの第２収容室の行方向一方側に隣接する第５収容室の間を区分する第５仕切板と、
上記第２仕切板の行方向他方側の側縁に連設され、組み立て状態で上記第２収容室及びこの第２収容室の行方向他方側に隣接する第６収容室の間を区分する第６仕切板と、
上記第３仕切板の行方向一方側に連設され、組み立て状態で上記第３収容室及び上記第５収容室の間を区分する第７仕切板と、
上記第４仕切板の行方向他方側に連設され、組み立て状態で上記第４収容室及び上記第６収容室の間を区分する第８仕切板と
を備えることを特徴とする仕切体用シート。
【請求項２】
上記第５仕切板の行方向一方側の下端角部、上記第６仕切板の行方向他方側の下端角部、上記第７仕切板の行方向一方側の下端角部、及び上記第８仕切板の行方向他方側の下端角部がそれぞれ面取りされている請求項１に記載の仕切体用シート。
【請求項３】
上記第１乃至第８仕切板間の境界が切断部を含む折曲容易線により画定される請求項１又は請求項２に記載の仕切体用シート。
【請求項４】
上記底板及び上記第１仕切板間の境界並びに上記底板及び上記第２仕切板間の境界がそれぞれ破断容易線によって画定される請求項１、請求項２又は請求項３に記載の仕切体用シート。
【請求項５】
上記破断容易線が両端に形成される一対の切断部とこの一対の切断部の間に形成されるハーフカット部とを有する請求項４に記載の仕切体用シート。
【考案の詳細な説明】
【技術分野】
【０００１】
本考案は、仕切体用シートに関する。
【背景技術】
【０００２】
複数の物品を１つの箱体に収容するために、箱体の内部空間を平面視で行列状に配列する複数の収容空間に分割する仕切体が使用される。このような仕切体としては、箱体を横断する仕切板と箱体を縦断する仕切板とを組み合わせた組仕切が広く用いられている。組仕切は、複数の仕切板をスリットを咬合させることにより組み合わせる作業が必要であり、複数の仕切板が互いに垂直に交差するよう保持した状態で仕切体を箱体の中に挿入する必要がある。このため、従来の組仕切は、両手で保持して箱体の中に配置する必要があり、その作業が煩雑である。
【０００３】
特開２００４−２７６９２４号公報には、平行に配置される２枚の仕切板の下縁を底板で接続した仕切体が開示されている。この仕切体は、上記底板と上記２枚の仕切板に垂直に組み合わされる仕切板とをそれぞれ中央で二つ折りにすることによって、仕切体を扁平に折り畳むことができるようになっている。この仕切体は、折り畳み状態から片手で組み立てることができるとされており、組み立て状態で箱体の中に配置する作業も片手で行うことができると考えられる。
【０００４】
しかしながら、上記公報記載の仕切体は、複数の仕切板を予め組み合わせて折り畳んだ状態で準備しておく必要があるため、包装コストを増大させる。また、組み立て後に折り畳んだ仕切体は、安定性に乏しく複数を積み重ねることが容易ではないため、組み立てた状態で保管することが容易ではない。
【先行技術文献】
【特許文献】
【０００５】
【特許文献１】特開２００４−２７６９２４号公報
【考案の概要】
【考案が解決しようとする課題】
【０００６】
上記事情に鑑みて、本考案は、使用前の保管及び箱体の中への配置が容易な仕切体を形成できる仕切体用シートを提供することを課題とする。
【課題を解決するための手段】
【０００７】
上記課題を解決するためになされた本考案の一態様に係る仕切体用シートは、一枚のシート材からなり、箱体の内部空間を平面視で２行３列の６つの収容室に区分する仕切体に組み立てられる仕切体用シートであって、行方向中央の列方向一方側に位置する第１収容室の底部に配置される底板と、上記底板の列方向一方側の側縁に連接され、組み立て時に上方に折り曲げられて上記第１収容室の列方向一方側に配置される第１仕切板と、上記底板の列方向他方側の側縁に連接され、組み立て時に上方に折り曲げられて上記第１収容室及びこの第１収容室の列方向他方側に隣接する第２収容室の間を区分する第２仕切板と、上記第１仕切板の行方向一方側の側縁に連設され、組み立て状態で上記第１収容室及びこの第１収容室の行方向一方側に隣接する第３収容室の間を区分する第３仕切板と、上記第１仕切板の行方向他方側の側縁に連設され、組み立て状態で上記第１収容室及びこの第１収容室の行方向他方側に隣接する第４収容室の間を区分する第４仕切板と、上記第２仕切板の行方向一方側の側縁に連設され、組み立て状態で上記第２収容室及びこの第２収容室の行方向一方側に隣接する第５収容室の間を区分する第５仕切板と、上記第２仕切板の行方向他方側の側縁に連設され、組み立て状態で上記第２収容室及びこの第２収容室の行方向他方側に隣接する第６収容室の間を区分する第６仕切板と、上記第３仕切板の行方向一方側に連設され、組み立て状態で上記第３収容室及び上記第５収容室の間を区分する第７仕切板と、上記第４仕切板の行方向他方側に連設され、組み立て状態で上記第４収容室及び上記第６収容室の間を区分する第８仕切板とを備えることを特徴とする。
【０００８】
当該仕切体用シートは、上記底板に対して上記第１仕切板及び上記第２仕切板を上方に折り曲げ、上記第１仕切板に対して上記第３仕切板及び上記第４仕切板を列方向他方側に折り曲げるとともに上記第２仕切板に対して上記第５仕切板及び上記第６仕切板を列方向他方側に折り曲げることにより、上記第５仕切板及び上記第６仕切板の外側に上記第７仕切板及び上記第８仕切板をそれぞれ重ねた状態で、上記第７仕切板及び上記第８仕切板の外側を把持することで片手で保持して箱体の中に挿入することができる。さらに、箱体の中で上記第３仕切板及び上記第４仕切板に対して第７仕切板及び第８仕切板を折り曲げることにより、当該仕切体用シートを仕切体に成形することができるので、当該仕切体用シートは、箱体の中への配置が容易である。また、当該仕切体用シートは、一枚のシート材からなるため、展開状体で積み重ねて保管することができるので、使用前の保管が容易である。
【０００９】
上記第５仕切板の行方向一方側の下端角部、上記第６仕切板の行方向他方側の下端角部、上記第７仕切板の行方向一方側の下端角部、及び上記第８仕切板の行方向他方側の下端角部がそれぞれ面取りされていてもよい。この構成によれば、当該仕切体用シートは、箱体の中に挿入する際に第１仕切板と反対側（列方向他方側）の組み立て時における下端の角部が全て面取りされているので、面取りされている角を持ち上げるように傾斜させて最初に第１仕切板の下端を箱体の中に挿入してから垂直な状態に起こすよう傾動させることで、より容易に箱体の中に全体を挿入することができる。
【００１０】
上記第１乃至第８仕切板間の境界が切断部を含む折曲容易線により画定されてもよい。このように、仕切板間の境界が切断部を含む折曲容易線により画定されることによって、仕切板間を正確且つ容易に折り曲げることができるので、箱体への挿入時及び箱体内で仕切体を成形する際にシートの反力を低減して作業性を向上することができる。
【００１１】
上記底板及び上記第１仕切板間の境界並びに上記底板及び上記第２仕切板間の境界がそれぞれ破断容易線によって画定されてもよい。このように、上記底板と上記第１仕切板及び上記第２仕切板との間を容易に破断できるように構成することによって、第１収容室に収容した物品の頂部を押さえながら第１仕切板及び第２仕切板を上方に引っ張ることで、第１仕切板及び第２仕切板を底板から分離し、底板ともに収容する物品を残して第１乃至第８仕切板を箱体から取り出すことができる。
【００１２】
上記破断容易線が両端に形成される一対の切断部とこの一対の切断部の間に形成されるハーフカット部とを有してもよい。このように、上記破断容易線が両端にシートの折曲の起点となる切断部を有することによって、この破断容易線に沿って正確にシートを折り曲げることができる。また、上記破断容易線がハーフカット部を有することによって、破断容易線に沿うシートの折曲をより確実にするとともに、シートを破断し易くして底板の分離をより容易にすることができる。
【００１３】
なお、「行方向」とは各行に沿う方向（収容室が３つ並ぶ方向）を意味し、「列方向」とは各列に沿う方向を意味する。また、「切断部」とはシート材を厚さ方向全体に亘って切断した部分を意味し、「ハーフカット部」とはシート材を厚さ方向一部分のみ切断した部分を意味する。
【考案の効果】
【００１４】
以上のように、本考案に係る仕切体用シートは、使用前の保管及び箱体の中への配置が容易である。
【図面の簡単な説明】
【００１５】
【図１】本考案の一実施形態の仕切体用シートを示す模式的平面図（展開図）である。
【図２】図１の仕切体用シートを組み立ててなる仕切体の模式的斜視図である。
【図３】図２の仕切体を内部に配置した箱体の模式的平面図である。
【図４】図１の仕切体用シートを箱体に挿入する様子を示す模式的斜視図である。
【考案を実施するための形態】
【００１６】
以下、適宜図面を参照しつつ、本考案の実施の形態を詳説する。
【００１７】
［第一実施形態］
図１に、本考案の一実施形態に係る仕切体用シートを示す。当該仕切体用シートは、一枚のシート材からなり、組み立てられて図２に示す仕切体を形成し、図３に示すように、箱体Ｂの中に挿入されて箱体Ｂの内部空間を平面視で２行３列の６つの収容室（Ｒ１〜Ｒ６）に区分する。なお、図１において、太い実線はシート材を切断した切断線を示し、細い実線はシート材に筋押しして形成される罫線を示す。
【００１８】
当該仕切体用シートによって区分される６つの収容室は、図３に示すように、行方向中央の列方向一方側（図３における上側）に位置するものを第１収容室Ｒ１とし、この第１収容室Ｒ１の列方向他方側（図３における下側）に隣接するものを第２収容室Ｒ２とし、第１収容室Ｒ１の行方向一方側（図３における右側）に隣接するものを第３収容室Ｒ３とし、第１収容室Ｒ１の行方向他方側（図３における左側）に隣接するものを第４収容室Ｒ４とし、第２収容室Ｒ２の行方向一方側に隣接するものと第５収容室Ｒ５とし、第２収容室Ｒ２の行方向他方側に隣接するものを第６収容室Ｒ６とする。
【００１９】
これらの収容室Ｒ１〜Ｒ６は、図３に二点鎖線で図示するように、それぞれ１本の瓶を収容することが企図される。このため、各収容室Ｒ１〜Ｒ６は、それぞれ行方向の幅と列方向の幅とが略等しい。
【００２０】
当該仕切体用シートを形成するシート材としては、例えば段ボールシート、プラスチックボード、ボール紙等を用いることができ、中でも段ボールシートが好適に用いられる。段ボールシートとしては、１枚の中芯の両側を一対のライナーで挟み込んだものだけでなく、３枚のライナーの間にそれぞれ中芯が挟み込まれたいわゆるダブルフルートであってもよく、中芯の片側にのみライナーが貼着されたいわゆる片面段ボールであってもよい。
【００２１】
その構成を具体的に説明すると、当該仕切用シートは、第１収容室Ｒ１の底部に配置される底板１０と、底板１０の列方向一方側の側縁に連接され、組み立て時に上方に折り曲げられて第１収容室Ｒ１の列方向一方側に、箱体の側壁に沿って配置される第１仕切板１１と、第１仕切板１１と対称に底板１０の列方向他方側の側縁に連接され、組み立て時に上方に折り曲げられて第１収容室Ｒ１及び第２収容室Ｒ２の間を区分する第２仕切板１２と、第１仕切板１１の行方向一方側の側縁に連設され、組み立て状態で第１収容室Ｒ１及び第３収容室Ｒ３の間を区分する第３仕切板１３と、第１仕切板１１の行方向他方側の側縁に連設され、組み立て状態で第１収容室Ｒ１及び第４収容室Ｒ４の間を区分する第４仕切板１４と、第２仕切板１２の行方向一方側の側縁に連設され、組み立て状態で第２収容室Ｒ２及び第５収容室Ｒ５の間を区分する第５仕切板１５と、第２仕切板１２の行方向他方側の側縁に連設され、組み立て状態で第２収容室Ｒ２及び第６収容室Ｒ６の間を区分する第６仕切板１６と、第３仕切板１３の行方向一方側に連設され、組み立て状態で第３収容室Ｒ３及び第５収容室Ｒ５の間を区分する第７仕切板１７と、第４仕切板１４の行方向他方側に連設され、組み立て状態で第４収容室Ｒ４及び第６収容室Ｒ６の間を区分する第８仕切板１８とを備える。なお、上記仕切板１１〜１８の位置関係（行方向及び列方向）は、図１の展開状態における位置関係である。
【００２２】
＜底板＞
底板１０は、第１仕切板１１の下縁と第２仕切板１２の下縁とを接続し、組み立て状態での第１仕切板１１と第２仕切板１２との間隔を定める。各収容室Ｒ１〜Ｒ６にそれぞれ一般的な瓶を収容する場合、底板１０の列方向の長さ（組み立て状態での第１仕切板１１と第２仕切板１２との間隔）は、第１仕切板１１及び第２仕切板１２の行方向の幅と略等しい。
【００２３】
底板１０の平面形状は、特に限定されないが、箱体Ｂが例えばＪＩＳ−Ｚ１５０７（２０１３）にコード番号０２０１号として規定されるいわゆるＡ式又はみかん箱タイプの箱体である場合、一対の底内フラップの間に形成される凹部に嵌合するよう、行方向に第１仕切板１１及び第２仕切板１２からはみ出さない形状であることが好ましく、第１収容室Ｒ１に収容される物品の底面との接触面積が十分に大きくなるような形状であることがより好ましい。
【００２４】
＜仕切板＞
第１仕切板１１は、第３仕切板１３及び第４仕切板１４を保持する。第２乃至第８仕切板１２〜１８は、箱体Ｂの内部空間を６つの収容室Ｒ１〜Ｒ６に区分する。
【００２５】
これらの仕切板１１〜１８は、略長方形状に形成することができる。これらの中でも、第５仕切板１５の行方向一方側の下端角部、第６仕切板１６の行方向他方側の下端角部、第７仕切板１７の行方向一方側の下端角部、及び第８仕切板１８の行方向他方側の下端角部は、後述する箱体Ｂへの当該仕切体用シートの挿入を容易にするために、それぞれ面取りされていることが好ましい。
【００２６】
（折曲容易線）
第１乃至第８仕切板１１〜１８の間の境界は、それぞれ折曲容易線（第１仕切板１１及び第３仕切板１３間の第１折曲容易線Ｌ１、第１仕切板１１及び第４仕切板１４間の第２折曲容易線Ｌ２、第２仕切板１２及び第５仕切板１５間の第３折曲容易線Ｌ３、第２仕切板１２及び第６仕切板１６間の第４折曲容易線Ｌ４、第３仕切板１３及び第７仕切板１７間の第５折曲容易線Ｌ５及び第４仕切板１４及び第８仕切板１８間の第６折曲容易線Ｌ６）によって画定される。
【００２７】
これらの折曲容易線Ｌ１〜Ｌ６は、罫線Ｅを含む構成とすることができ、シート材を正確且つ容易に折り曲げ可能にするために、それぞれ少なくとも１つの切断部Ｃを含むことが好ましい。
【００２８】
（破断容易線）
底板１０及び第１仕切板１１間の境界並びに底板１０及び第２仕切板１２間の境界は、それぞれ破断容易線（底板１０及び第１仕切板１１間の第１破断容易線Ｌ７及び底板１０及び第２仕切板１２間の第２破断容易線Ｌ８）によって画定されることが好ましい。この構成によって、第１収容室に収容した物品を押さえつつ第１仕切板１１及び第２仕切板１２を上方に引っ張ることで、底板１０を分離し、収容する物品を残して第１乃至第８仕切板１１〜１８を箱体から取り出すことができる。これにより、例えば箱体の前壁を切除して陳列する場合に、後側の物品も視認可能となる。
【００２９】
破断容易線Ｌ７，Ｌ８は、当該仕切体用シートを組み立てる際に、底板１０と第１仕切板１１及び第２仕切板１２との間でシート材を正確且つ容易に折り曲げ可能にするとともに容易に底板１０を分離可能とすることができるよう、両端に形成され、折り曲げの起点となる一対の切断部Ｃと、この一対の切断部Ｃの間に形成され、折り曲げ及び破断が容易なハーフカット部Ｈとを有することが好ましい。
【００３０】
＜仕切体の組み立て＞
当該仕切体用シートを組み立ててなる仕切体は、自身単独で仕切板１１〜１８を適切な位置関係に保持することはできないが、箱体Ｂに挿入し、各収容室Ｒ１〜Ｒ６に物品を収容することで、箱体及び物品によって仕切板１１〜１８の位置が定められ、収容室Ｒ１〜Ｒ６の間を区分する適切な形態が保持される。
【００３１】
当該仕切体用シートの組み立ては、先ず、第１仕切板１１並びにこの第１仕切板１１に連設される第３仕切板１３、第４仕切板１４、第７仕切板１７及び第８仕切板１８を底板１０に対して上方に折り曲げて直立させるとともに、第２仕切板１２並びにこの第２仕切板１２に連設される第５仕切板１５及び第６仕切板１６を底板１０に対して上方に折り曲げて直立させる。
【００３２】
次いで、第２仕切板１２に対して第５仕切板１５及び第６仕切板１６を列方向他方側（第１仕切板１１と反対側）に折り曲げ、第１仕切板１１に対して第３仕切板１３及び第４仕切板１４をそれらに連設される第７仕切板１７及び第８仕切板１８とともに列方向他方側に折り曲げる。これにより、第５仕切板１５の外側（行方向一方側）に第７仕切板１７を重ね、第６仕切板１６の外側（行方向他方側）に第８仕切板１８を重ねた状態とする。
【００３３】
この状態で、図４に示すように、第７仕切板１７の外側と第８仕切板１８の外側とにそれぞれ親指及び人差し指乃至小指を接触させて掴むようにして当該仕切体用シートを持ち上げ、箱体Ｂの中に挿入することができる。
【００３４】
このとき、第５乃至第８仕切板１５〜１８の第１仕切板１１と反対側の下端角部が面取りされていることによって、図４に示すように、面取りされている角部を持ち上げるよう第１仕切板１１を僅かに傾斜させ、最初に第１仕切板１１の下端を箱体に挿入してから、第１仕切板１１を直立させるよう回動させることで、第５乃至第８仕切板１５〜１８面取りされている角部をスムーズに箱体Ｂの中に挿入し、当該仕切体用シート全体を箱体Ｂの内部に片手で容易に配置することができる。
【００３５】
当該仕切体用シートを箱体の内部に配置したなら、物品を各収容室Ｒ１〜Ｒ６に挿入しつつ、第３乃至第８仕切板１３〜１８の角度を定める。特に、第５収容室Ｒ５及び第６収容室Ｒ６に物品を挿入する際は、第７仕切板１７及び第８仕切板１８を第３仕切板１３及び第４仕切板１４に対して折り曲げて第３収容室Ｒ３及び第４収容室Ｒ４との間に配置する。
【００３６】
＜利点＞
当該仕切体用シートは、上述のように、第１仕切板１１及び第２仕切板１２を上方に折り曲げ、第１仕切板１１に対して第３仕切板１３及び第４仕切板１４を折り曲げるとともに第２仕切板１２に対して第５仕切板１５及び第６仕切板１６を折り曲げることにより、第５仕切板１５及び第６仕切板１６の外側に第７仕切板１７及び第８仕切板１８をそれぞれ重ねた状態で、第７仕切板１７及び第８仕切板１８の外側を把持することで片手で箱体の中に挿入することができる。
【００３７】
さらに、箱体の中で第３仕切板１３及び第４仕切板１４に対して第７仕切板１７及び第８仕切板１８を折り曲げることにより、当該仕切体用シートを図２に示す仕切体に成形することができる。
【００３８】
また、当該仕切体用シートは、一枚のシート材からなり、展開状体で積み重ねて保管することができるので、使用前の保管が容易である。
【００３９】
また、当該仕切体用シートは、組み立てが容易であるため、包装に要する資材コストと包装のための作業コストとを合計したトータルコストが比較的小さい。
【００４０】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００４１】
当該仕切体用シートを組み立ててなる仕切体を２つ使用して箱体の内部空間を４行３列の１２の収容空間に区分してもよい。具体的には、箱体の内部空間を中央で２つに分割する大きい仕切板を２つの仕切体の間に配置することで、２行目の収容室と３行目の収容室との間を区分することができる。この場合、当該仕切体用シートを組み立ててなる仕切体は、大きい仕切板を配置する順番を問わず大きい仕切板によって区分された箱体の内部空間をそれぞれ平面視で２行３列の６つの収容室に区分するものと解釈され、請求の範囲の記載と矛盾しない。
【００４２】
当該仕切体用シートにおいて、各仕切板の形状は方形状に限定されない。例えば、第５乃至第８仕切板の面取りは、図示するようなものだけでなく、仕切板をその幅が下端に向かって漸減するようなテーパー状にするものであってもよい。また、各仕切板の上部に切り欠き等を設けてシート材の使用量を低減してもよい。具体例として、仕切板の高さを小さくし、第１仕切板及び第２仕切板の上端に箱体の蓋部に当接して仕切体がずり上がることを防止するとともに底板を分離する際に把持することができる突部を設けることにより、底板の破断方法を分りやすくしつつシート材の使用量を低減することができる。
【００４３】
当該仕切体用シートにおいて、底板の行方向の幅は、いわゆるＡ式の箱体の内フラップの間の凹部に確実に嵌合できるよう、第１仕切板の行方向の幅よりも小さくてもよい。
【００４４】
当該仕切体用シートにおいて、底板は、第２仕切板の下部を切り欠いて延長され、第２収容室の底部に配置され、第２収容室に収容される物品が載置される領域を形成してもよい。さらに、底板は、第３仕切及び第５仕切板間並びに第４仕切板及び第６仕切板間に延長され、さらに第５仕切板及び第６仕切板の下部を切り欠いて延長されることにより、第３乃至第６収容室の底部にも配置されるよう略「Ｅ」の字状に形成されてもよい。
【００４５】
当該仕切体用シートは、いわゆるＡ式の箱体以外の箱体の内部を区分するために使用してもよい。
【産業上の利用可能性】
【００４６】
本考案は、酒類や飲料等の瓶を収容する包装体に特に好適に利用することができる。
【符号の説明】
【００４７】
１０  底板
１１  第１仕切板
１２  第２仕切板
１３  第３仕切板
１４  第４仕切板
１５  第５仕切板
１６  第６仕切板
１７  第７仕切板
１８  第８仕切板
Ｂ  箱体
Ｃ  切断部
Ｅ  罫線
Ｈ  ハーフカット部
Ｌ１  第１折曲容易線
Ｌ２  第２折曲容易線
Ｌ３  第３折曲容易線
Ｌ４  第４折曲容易線
Ｌ５  第５折曲容易線
Ｌ６  第６折曲容易線
Ｌ７  第１破断容易線
Ｌ８  第２破断容易線
Ｒ１  第１収容室
Ｒ２  第２収容室
Ｒ３  第３収容室
Ｒ４  第４収容室
Ｒ５  第５収容室
Ｒ６  第６収容室
【図１】
0003219044.tif 000003
【図２】
0003219044.tif 000004
【図３】
0003219044.tif 000005
【図４】
0003219044.tif 000006